(57)【要約】【目的】  アイデアやデザイン等の知的創作物を社会的弱者に寄付するためのシステムや方法等を提供する。【解決手段】  アイデア寄付者が創作したアイデアの入力を受け付け記憶する。そのアイデアを企業が利用する装置に対して発信し、発信したアイデアにより得られた利益額の全部又は一部を含む寄付金の入力を受け付ける。その寄付金を社会的弱者が利用する資金受取口座に入金するための入金処理を行う。【選択図】図６
2013191189.tif 000002
【特許請求の範囲】
【請求項１】
知的創作物の寄付者が創作した知的創作物の入力を受け付け記憶する手段、前記知的創作物を企業が利用する装置に対して発信する手段、発信した前記知的創作物により得られた利益額の全部又は一部を含む寄付金の入力を受け付ける手段、前記寄付金を社会的弱者が利用する資金受取口座に入金するための入金処理を行う手段を備える知的創作物寄付装置。
【請求項２】
前記知的創作物に関する知的財産登録を受ける権利を前記寄付者から譲り受けたことを証明する証明情報の入力を受け付けて記憶する手段を備えることを特徴とする請求項１記載の知的創作物寄付装置。
【請求項３】
前記知的創作物の種別の入力を受け付ける手段、前記資金受取口座と前記社会的弱者の社会的弱者種別とを関連づけて記憶する手段、前記知的創作物の前記種別と一致又は近似する前記社会的弱者種別を検索する手段を備え、前記入金処理は検索された前記社会的弱者種別に関連づけられた前記資金受取口座に入金するための処理であることを特徴とする請求項１記載の知的創作物寄付装置。
【請求項４】
前記寄付者の連絡先を記憶する手段、前記連絡先に対し前記寄付金を入金した旨を含む寄付実績情報を送信する手段を備えることを特徴とする請求項１記載の知的創作物寄付装置。
【請求項５】
コンピュータを、知的創作物の寄付者が創作した知的創作物の入力を受け付け記憶する手段、前記知的創作物を企業が利用する装置に対して発信する手段、発信した前記知的創作物により得られた利益額の全部又は一部を含む寄付金の入力を受け付ける手段、前記寄付金を社会的弱者が利用する資金受取口座に入金するための入金処理を行う手段として機能させることを特徴とする知的創作物寄付のためのコンピュータプログラム。
【請求項６】
前記コンピュータを、前記知的創作物に関する知的財産登録を受ける権利を前記寄付者から譲り受けたことを証明する証明情報の入力を受け付けて記憶する手段として機能させることを特徴とする請求項５記載の知的創作物寄付のためのコンピュータプログラム。
【請求項７】
前記コンピュータを、前記知的創作物の種別の入力を受け付ける手段、前記資金受取口座と前記社会的弱者の社会的弱者種別とを関連づけて記憶する手段、前記知的創作物の前記種別と一致又は近似する前記社会的弱者種別を検索する手段として機能させ、前記入金処理は検索された前記社会的弱者種別に関連づけられた前記資金受取口座に入金するための処理であることを特徴とする請求項５記載の知的創作物寄付のためのコンピュータプログラム。
【請求項８】
前記コンピュータを、前記寄付者の連絡先を記憶する手段、前記連絡先に対し前記寄付金を入金した旨を含む寄付実績情報を送信する手段として機能させることを特徴とする請求項５記載の知的創作物寄付のためのコンピュータプログラム。
【請求項９】
コンピュータが、知的創作物の寄付者が創作した知的創作物の入力を受け付け記憶するステップ、前記知的創作物を企業が利用する装置に対して発信するステップ、発信した前記知的創作物により得られた利益額の全部又は一部を含む寄付金の入力を受け付けるステップ、前記寄付金を社会的弱者が利用する資金受取口座に入金するための入金処理を行うステップを行うことを特徴とする知的創作物寄付方法。
【請求項１０】
前記コンピュータが、前記知的創作物に関する知的財産登録を受ける権利を前記寄付者から譲り受けたことを証明する証明情報の入力を受け付けて記憶するステップを行うことを特徴とする請求項９記載の知的創作物寄付方法。
【請求項１１】
前記コンピュータが、前記知的創作物の種別の入力を受け付けるステップ、前記資金受取口座と前記社会的弱者の社会的弱者種別とを関連づけて記憶するステップ、前記知的創作物の前記種別と一致又は近似する前記社会的弱者種別を検索するステップを行い、前記入金処理は検索された前記社会的弱者種別に関連づけられた前記資金受取口座に入金するための処理であることを特徴とする請求項９記載の知的創作物寄付方法。
【請求項１２】
前記コンピュータが、前記寄付者の連絡先を記憶するステップ、前記連絡先に対し前記寄付金を入金した旨を含む寄付実績情報を送信するステップを行うことを特徴とする請求項９記載の知的創作物寄付方法。
【発明の詳細な説明】
【技術分野】
【０００１】  本発明は、アイデアやデザイン等の知的創作物を社会的弱者に寄付するためのシステムや方法等に関するものである。
【背景技術】
【０００２】  現在、お金や品物（有体物）を障がい者や貧困に苦しむ人などに寄付する制度や仕組みは数多くある。
【先行技術文献】
【特許文献】
【０００３】
【特許文献１】  特開２０１１−２９５１
【発明の概要】
【発明が解決しようとする課題】
【０００４】  しかし、アイデアやデザイン等の知的創作物（無体物）を社会的弱者に寄付することにより、その知的創作物から生じた利益を社会的弱者に寄付・還元する仕組みは存在しない。
本発明は、アイデアやデザイン等の知的創作物を社会的弱者に寄付するためのシステムや方法等を提供するものである。
【課題を解決するための手段】
【０００５】  本発明は、例えば、以下のような手段を備えるコンピュータシステム（装置）、コンピュータ（装置）が以下のような処理（ステップ）を行う方法、コンピュータ（装置）を以下のように機能させるコンピュータプログラムである。
（１）知的創作物の寄付者が創作した知的創作物の入力を受け付け記憶する手段、前記知的創作物を企業が利用する装置に対して発信する手段、発信した前記知的創作物により得られた利益額の全部又は一部を含む寄付金の入力を受け付ける手段、前記寄付金を社会的弱者が利用する資金受取口座に入金するための入金処理を行う手段を備える。
（２）前記知的創作物に関する知的財産登録を受ける権利を前記寄付者から譲り受けたことを証明する証明情報の入力を受け付けて記憶する手段を備える。
（３）前記知的創作物の種別の入力を受け付ける手段、前記資金受取口座と前記社会的弱者の社会的弱者種別とを関連づけて記憶する手段、前記知的創作物の前記種別と一致又は近似する前記社会的弱者種別を検索する手段を備え、前記入金処理は検索された前記社会的弱者種別に関連づけられた前記（社会的弱者が利用する）資金受取口座に入金するための処理である。
（４）前記寄付者の連絡先を記憶する手段、前記連絡先に対し前記寄付金を入金した旨を含む寄付実績情報を送信する手段を備える。
【発明の効果】
【０００６】（効果１）本発明を利用すれば、知的創作物を社会的弱者に寄付することができ、その結果知的創作物から生じた金銭等を社会的弱者に寄付することができる。
（効果２）知的財産登録を受ける権利を寄付者から譲り受けたことを証明する証明情報を管理するので、譲り受けた後に特許出願する場合に不測のトラブルが生じることがない。
（効果３）本発明では、知的創作物の種別に合致した（同一又は近似の種別の）社会的弱者に寄付を行うので、発案者の意図に合致した人を支援することができる。
（効果４）本発明では、社会的弱者に対し寄付した旨を創作者（寄付者）に通知している。本発明の場合、アイデア提案から商品化までに時間がかかる場合があり、寄付者はその間の経過を知ることができない。よって、金銭を寄付した旨を通知して、自分のアイデア等が社会の役に立ったこと寄付者に実感してもらうことを可能にしているのである。
【図面の簡単な説明】
【０００７】
【図１】  本発明のハードウェアの概略を示した図である。
【図２】  本発明の処理フローを示した図である。
【図３】  アイデア管理情報を示した図である。
【図４】  アイデア提案情報を示した図である。
【図５】  アイデア寄付金情報を示した図である。
【図６】  アイデア管理情報を示した図である。
【図７】  寄付先情報を示した図である。
【図８】  入金データを示した図である。
【発明を実施するための形態】
【０００８】  本発明は、アイデアやデザイン等の知的創作物を社会的弱者に寄付するためのシステムや方法等を提供するものである。以下、図面に基づいて説明する。
【実施例】
【０００９】  本発明で利用するハードウェアについて説明する。
図１は本発明の実施に必要なハードウェアの概略を表した図である。本発明は、アイデアの仲介者が利用するアイデア仲介サーバーと、そのアイデアを商品化する企業が利用する企業サーバーとからなる。なお、アイデア仲介者とは、アイデアの寄付をする者（アイデア提供者）とそのアイデアを商品化する企業との仲介をする者をいう。
アイデア仲介サーバーと企業サーバーは、情報の入出力装置、処理装置、記憶装置等を備えるコンピュータである。
これら記憶装置には本発明を実現するためのコンピュータプログラムや所定のデータが記憶されており、処理装置はこのコンピュータプログラムの処理命令に従って所定の処理を行う。なお、本実施例においてデータが送受信された場合、各装置はそれを適切に送受信して各装置の記憶装置に記憶するものとする。【００１０】  次に、本発明の処理フローについて説明する。本発明は、図２のような流れで実行される。以下、これら処理について説明する。【００１１】    ＜ＳＴＥＰ１：アイデア収集・入力＞
まず、ＳＴＥＰ１の処理から説明する。人は沢山のアイデアを日常生活で考えている。アイデア仲介者は様々な人に会い、アイデアのインタビューを行っている。例えば、アイデア仲介者が山田太郎さんという人に会ってアイデアインタビューを行ったとする。以前山田さんは「誰もが使いやすいトイレ（特に身体障がい者が使いやすいトイレ）」に関するアイデアを考えた経験があるので、山田さんはアイデア仲介者にそのアイデアを伝える。
アイデアを聞いたアイデア仲介者は次の内容を山田さんに伝える。即ち、「そのトイレに関するアイデアを社会的弱者の為に寄付して欲しい。そのアイデアが商品化され経済的利益が生じたらそれは社会的弱者に寄付される。この仕組みは金品を直接社会的弱者に寄付するのではなく、アイデア等の知的創作物を社会的弱者のために寄付して、その知的創作物から生じた金銭を間接的に社会的弱者に寄付する制度です。」と伝える。この趣旨に賛同・同意した山田さんはアイデアの寄付を承諾する。【００１２】  次に、アイデア仲介者はそのトイレのアイデアに関する「特許を受ける権利の譲渡書面」を山田さん（アイデア寄付者、アイデア提供者）に渡し、所定事項を記入し押印してもらう。これにより山田さんからアイデア仲介者への特許を受ける権利の譲渡手続が完了する。
次に、アイデア仲介者は、アイデア仲介サーバーに対して図３のような内容のデータを入力し、アイデア仲介サーバーはこれを記憶する。なお、ここで知的創作物とは知的創作物の寄付者が創作した知的創作物に関する情報をいい、知的創作部の名称や知的創作物の概要や内容（構成、効果）などからなる情報を言うものとする（ただし、これに限らない）。以上がＳＴＥＰ１である。【００１３】    ＜ＳＴＥＰ２：アイデア提案＞
次に、ＳＴＥＰ２の処理を説明する。山田さんからアイデア寄付を受けたアイデア仲介者は、このアイデアを企業（例えばトイレメーカー）に提案する。即ち、アイデア仲介サーバーは図３に基づいて図４のようなアイデア提案情報を作成し、これをトイレメーカーが利用する装置（企業サーバー）に送信（発信）する。
これを受信したトイレメーカーは、そのアイデアの商品化を検討する。そして、商品化が決定した場合、アイデア仲介者とトイレメーカーとの間で契約が交わされ、トイレメーカーが売上（利益額）の一部又は全部（例えば売上の１０％）をアイデア仲介者（間接的には社会的弱者）に支払うことが合意される（なお、必要があればそのアイデアをアイデア仲介者とトイレメーカーとで共同で特許出願する）。
その後、トイレメーカーはそのアイデアを商品として販売し、それにより例えば１０００万円の売上があったとする。企業サーバーは図４のアイデア提供情報に寄付金「１００万円（１０００万円の１０％）」を代入し図４に基づいて図５「アイデア寄付金情報」を作成する。そして、この図５「アイデア寄付金情報」をアイデア仲介サーバーに送信する。以上がＳＴＥＰ２である。【００１４】    ＜ＳＴＥＰ３：寄付金決定＞
次に、ＳＴＥＰ３の処理を説明する。
アイデア寄付金情報を受信したアイデア仲介サーバーは、アイデア寄付金情報の寄付金をアイデア管理情報の寄付金の欄に代入する（図６）。なお、ここでは企業からの寄付金と障がい者への寄付金を同額としたが、これに限るものではない。以上がＳＴＥＰ３である。【００１５】    ＜ＳＴＥＰ４：入金処理＞
次に、ＳＴＥＰ４の処理を説明する。アイデア仲介サーバーの記憶装置には、図７のような寄付先情報が記憶されている。
アイデア仲介サーバーは、図６のアイデア管理情報のアイデア種別「身体障がい者」に基づいて寄付先情報の社会的弱者種別を検索し、同一種別の「団体Ａ」に関するレコードを抽出する（なお、近似する種別を検索してもよい）。そして、抽出したレコードの資金受取口座「Ｅ１銀行、Ｅ２支店、普通１２３４５６７」に基づいて図８のような入金データを作成しこれを銀行に送信する（入金処理を行う）。これにより寄付されたアイデアから生じた金銭を障がい者等に寄付することが可能となる。
なお、アイデア仲介サーバーは、図６のアイデア寄付者連絡先「○○＠○○．ｊｐ」に対し寄付実績情報「あなたのトレイのアイデアにより１００万円を団体Ａに寄付しました。」等を送信する。これにより社会的弱者に寄付されたことをアイデア寄付者に通知することができる。【００１６】  上記実施例おいては特定のケースについて説明したが、本発明はこれら特定のケースに限るものではない。例えば、以下のようなケースであってもよい。
（１）上記実施例では、アイデアをを例に説明したが、本発明は他のあらゆる知的創作物でも利用できる。即ち、デザインや著作物など様々なケースに利用することが出来るのである。
（２）データの内容は実施例で説明したデータに限らない。即ち、同様の役割を果たすことができれば、他のどのようなデータであっても構わない。
（３）ハードウェアも実施例で説明したものに限らない。即ち、同様の役割を果たすことができれば、他のどのようなハードウェアであっても構わない。
（４）処理の内容や手順（フロー）についても実施例で説明したものに限らない。即ち、同様の役割を果たすことができれば、他のどのような処理内容・処理手順であっても構わない。
（５）上記実施例に登場するデータ（データレコード、ファイル）のデータ（データ項目）は、原則として各々関連づけられて（対応づけられて）記憶装置に記憶されているものとする。図面に表されたものについても同様である。また、データの受信には「データ入力を受け付ける」ことが含まれる場合があり、データの送信には「データを出力する」ことが含まれる場合があるものとする。
【図１】
2013191189.tif 000003
【図２】
2013191189.tif 000004
【図３】
2013191189.tif 000005
【図４】
2013191189.tif 000006
【図５】
2013191189.tif 000007
【図６】
2013191189.tif 000008
【図７】
2013191189.tif 000009
【図８】
2013191189.tif 000010